(57)【要約】【課題】展示物に対して効率良く照明光を照射することができる展示用照明装置を提供する。【解決手段】照明光Ｌを出射する光源２と、光源２の前方に配置されるレンズ体３とを含む複数の照明ユニット１を備え、複数の照明ユニット１は、展示物の正面側の一端に沿って並んで配置され、レンズ体３は、光源２から出射された照明光Ｌが入射する入射部７と、入射部７から入射した照明光Ｌを反射させることによって、同一方向に向けて集光させる反射面８と、照明光Ｌ１を展示物の正面側の一端から他端に向けて出射する第１出射面９と、反射面８に入射する一部の照明光Ｌ２を透過させることによって、展示物の正面側の一端から奥行き方向の手前側に向けて出射する第２出射面１０とを有する。【選択図】図６
2018049772.tif 000002
【特許請求の範囲】
【請求項１】
展示物に照明光を照射することによって、前記展示物を明るく照らし出す展示用照明装置であって、
前記照明光を出射する光源と、前記光源の前方に配置されるレンズ体とを含む複数の照明ユニットを備え、
前記複数の照明ユニットは、前記展示物の正面側の一端に沿って並んで配置され、
前記レンズ体は、前記光源から出射された照明光が入射する入射部と、
前記入射部から入射した照明光を反射させることによって、同一方向に向けて集光させる反射面と、
前記照明光を前記展示物の正面側の一端から他端に向けて出射する第１出射面と、
前記反射面に入射する一部の照明光を透過させることによって、前記展示物の正面側の一端から奥行き方向の手前側に向けて出射する第２出射面とを有することを特徴とする展示用照明装置。
【請求項２】
前記レンズ体は、前記第１出射面に入射する一部の照明光を屈折させることによって、前記展示物の正面側の一端から奥行き方向の奥側に向けて出射する第３出射面を有することを特徴とする請求項１に記載の展示用照明装置。
【請求項３】
前記複数の照明ユニットが連結された連結照明ユニットを備えることを特徴とする請求項１又は２に記載の展示用照明装置。
【請求項４】
前記光源は、発光ダイオードを含むことを特徴とする請求項１〜３の何れか一項に記載の展示用照明装置。
【請求項５】
展示物を収容する収容空間が設けられたケース本体と、
前記ケース本体の正面側にヒンジ部を介して開閉自在に取り付けられると共に、透明な窓部が設けられた開閉扉と、
前記展示物に照明光を照射することによって、前記展示物を明るく照らし出す照明部とを備え、
前記照明部には、請求項１〜４の何れか一項に記載の展示用照明装置が用いられていることを特徴とするショーケース。
【請求項６】
前記照明部は、前記開閉扉の前記ヒンジ部とは反対側の側端部に沿って配置されていることを特徴とする請求項５に記載のショーケース。
【請求項７】
前記ケース本体は、前記展示物が載置される陳列棚と、前記収容空間を冷却する冷却機構とを有することを特徴とする請求項５又は６に記載のショーケース。
【発明の詳細な説明】
【技術分野】
【０００１】
本発明は、展示用照明装置及びショーケースに関する。
【背景技術】
【０００２】
例えば、冷蔵ショーケースでは、ケース本体の内部に架設された陳列棚に、飲料ボトルなどの商品（展示物）を載置した状態で、この商品に照明光を照射することによって、商品を明るく照らし出すこと（いわゆるライトアップ）が行われている（例えば、特許文献１を参照。）。
【０００３】
また、ケース本体の正面側には、ヒンジ部を介して開閉扉が開閉自在に取り付けられている。開閉扉には、ガラス窓などの透明な窓部が設けられている。これにより、冷蔵ショーケースでは、開閉扉を開けることなく、窓部を通して商品を視認することが可能となっている。
【先行技術文献】
【特許文献】
【０００４】
【特許文献１】特開２０１２−１０５６９１号公報
【発明の概要】
【発明が解決しようとする課題】
【０００５】
ところで、従来の冷蔵ショーケースでは、開閉扉の左右の両側に複数の発光ダイオード（ＬＥＤ）を上下方向に並べて配置し、これらＬＥＤから出射された照明光を陳列棚に向けて照射することで、ケース本体の内側を照明することが行われている。
【０００６】
しかしながら、ケース本体の内側を照明する場合、ケース本体の内側に暗部が生じないように、開閉扉の左右の両側にＬＥＤを配置し、なお且つ、ＬＥＤの数も増やす必要がある。この場合、照明効率が悪くなるだけでなく、消費電力の増加や高コスト化を招くことになる。
【０００７】
本発明は、このような従来の事情に鑑みて提案されたものであり、展示物に対して効率良く照明光を照射することができる展示用照明装置、並びにそのような展示用照明装置を用いたショーケースを提供することを目的とする。
【課題を解決するための手段】
【０００８】
上記目的を達成するために、本発明は以下の手段を提供する。
〔１〕  展示物に照明光を照射することによって、前記展示物を明るく照らし出す展示用照明装置であって、
前記照明光を出射する光源と、前記光源の前方に配置されるレンズ体とを含む複数の照明ユニットを備え、
前記複数の照明ユニットは、前記展示物の正面側の一端に沿って並んで配置され、
前記レンズ体は、前記光源から出射された照明光が入射する入射部と、
前記入射部から入射した照明光を反射させることによって、同一方向に向けて集光させる反射面と、
前記照明光を前記展示物の正面側の一端から他端に向けて出射する第１出射面と、
前記反射面に入射する一部の照明光を透過させることによって、前記展示物の正面側の一端から奥行き方向の手前側に向けて出射する第２出射面とを有することを特徴とする展示用照明装置。
〔２〕  前記レンズ体は、前記第１出射面に入射する一部の照明光を屈折させることによって、前記展示物の正面側の一端から奥行き方向の奥側に向けて出射する第３出射面を有することを特徴とする前記〔１〕に記載の展示用照明装置。
〔３〕  前記複数の照明ユニットが連結された連結照明ユニットを備えることを特徴とする前記〔１〕又は〔２〕に記載の展示用照明装置。
〔４〕  前記光源は、発光ダイオードを含むことを特徴とする前記〔１〕〜〔３〕の何れか一項に記載の展示用照明装置。
〔５〕  展示物を収容する収容空間が設けられたケース本体と、
前記ケース本体の正面側にヒンジ部を介して開閉自在に取り付けられると共に、透明な窓部が設けられた開閉扉と、
前記展示物に照明光を照射することによって、前記展示物を明るく照らし出す照明部とを備え、
前記照明部には、前記〔１〕〜〔４〕の何れか一項に記載の展示用照明装置が用いられていることを特徴とするショーケース。
〔６〕  前記照明部は、前記開閉扉の前記ヒンジ部とは反対側の側端部に沿って配置されていることを特徴とする前記〔５〕に記載のショーケース。
〔７〕  前記ケース本体は、前記展示物が載置される陳列棚と、前記収容空間を冷却する冷却機構とを有することを特徴とする前記〔５〕又は〔６〕に記載のショーケース。
【発明の効果】
【０００９】
以上のように、本発明によれば、展示物に対して効率良く照明光を照射することができる展示用照明装置、並びにそのような展示用照明装置を用いたショーケースを提供することが可能である。
【図面の簡単な説明】
【００１０】
【図１】本発明の一実施形態に係る冷蔵ショーケースの構成を示す正面図である。
【図２】図１に示す冷蔵ショーケースの照明部の配置を示す断面図である。
【図３】図２に示す照明部を構成する連結照明ユニットを示す平面図である。
【図４】図３に示す連結照明ユニットを構成する照明ユニットを示す斜視図である。
【図５】図４に示す照明ユニットの構成を示し、（ａ）はその断面図、（ｂ）はその一方側から見た斜視図、（ｃ）はその他方側から見た斜視図である。
【図６】図５に示す照明ユニットの光源から出射された照明光の光路を示す光路図である。
【図７】図５に示す照明ユニットのＸＹ断面における配光曲線を示すグラフである。
【発明を実施するための形態】
【００１１】
以下、本発明の実施の形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らない。
【００１２】
（ショーケース）
先ず、本発明の一実施形態に係るショーケースとして、例えば図１に示す冷蔵ショーケース１００を例に挙げて説明する。なお、図１は、冷蔵ショーケース１００の構成を示す正面図である。また、以下に示す図面では、ＸＹＺ直交座標系を設定し、Ｘ軸方向を冷蔵ショーケース１００の左右方向、Ｙ軸方向を冷蔵ショーケース１００の前後方向、Ｚ軸方向を冷蔵ショーケース１００の上下方向として、それぞれ示すものとする。
【００１３】
本実施形態の冷蔵ショーケース１００は、図１に示すように、例えばスーパーマーケットやコンビニエンスストアなどの店頭に設置される展示用冷蔵庫である。具体的に、この冷蔵ショーケース１００は、例えば飲料ボトルなどの商品（展示物）Ｓを収容する収容空間Ｋが設けられたケース本体１０１を備えている。
【００１４】
ケース本体１０１は、全体として直方体状に形成されている。ケース本体１０１の収容空間Ｋには、商品Ｓが載置される陳列棚１０２が架設されている。陳列棚１０２は、上下方向に複数段に亘って配置されている。
【００１５】
ケース本体１０１の正面側には、ヒンジ部１０３を介して開閉扉１０４が開閉自在に取り付けられている。ヒンジ部１０３は、開閉扉１０４の一方側（図１中の右側）の側面に沿った回動軸を中心に、この開閉扉１０４を回動自在に支持している。また、開閉扉１０４のヒンジ部１０３とは反対側（図１中の左側）の正面には、開閉扉１０４を開閉し易くするための取手１０５が取り付けられている。
【００１６】
開閉扉１０４には、各陳列棚１０２に陳列された商品Ｓを視認するための透明な窓部１０６が設けられている。窓部１０６は、開閉扉１０４の周囲を囲む長方形状の窓枠１０６ａに、ガラス板などの透明な板材１０６ｂが嵌め込まれることによって形成されている。なお、開閉扉１０４については、板材１０６ｂに複層ガラスを用いたり、板材１０６ｂに断熱フィルムを貼合したりすることで、窓部１０６の断熱性を高めることが可能である。
【００１７】
ケース本体１０１の両側面、背面及び上面については、図示を省略するものの、断熱性を有する壁部によって囲まれた構成となっている。一方、ケース本体１０１の両側面及び背面については、各陳列棚１０２に陳列された商品Ｓを視認可能とするため、上述した開閉扉１０４と同様に、ガラス板などの透明な板材で囲まれた構成としてもよい。さらに、ケース本体１０１の背面については、商品Ｓを補充したり、入れ替えたりするための開閉扉が開閉自在に取り付けられた構成としてもよい。
【００１８】
ケース本体１０１の下部の内側には、収容空間Ｋを冷却するための冷却機構１０７が設けられている。冷却機構１０７は、ケース本体１０１内（収容空間Ｋ）が一定の温度（例えば、ＪＩＳ規格では室温が１５〜３０℃において０〜１０℃の範囲）となるように、ケース本体１０１内の温度を調整する。
【００１９】
ケース本体１０１には、各陳列棚１０２に陳列された商品Ｓに照明光を照射することによって、商品Ｓを明るく照らし出す照明部１０８が設けられている。照明部１０８は、開閉扉１０４のヒンジ部１０３とは反対側（図１中の左側）の側端部に沿って配置されている。また、照明部１０８には、本発明を適用した展示用照明装置が用いられている。
【００２０】
（展示用照明装置）
次に、上記冷蔵ショーケース１００の照明部１０８に用いられる展示用照明装置について、図３〜図７を参照して説明する。なお、図３は、照明部１０８を構成する連結照明ユニット３０を示す平面図である。図４は、連結照明ユニット３０を構成する照明ユニット１を示す斜視図である。図５（ａ）は、照明ユニット１の構成を示す断面図、図５（ｂ）は、照明ユニット１を一方側から見た斜視図、図５（ｃ）は、照明ユニット１を他方側から見た斜視図である。図６は、照明ユニット１の光源２から出射された照明光Ｌの光路を示す光路図である。図７は、照明ユニット１の配光曲線を示すグラフである。
【００２１】
本実施形態の展示用照明装置は、図３及び図４に示すように、複数の照明ユニット１が連結された連結照明ユニット３０を備えている。また、各照明ユニット１は、照明光Ｌを出射する光源２と、光源２の前方に配置されるレンズ体３とを含む。
【００２２】
光源２には、例えば、発光ダイオード（ＬＥＤ）や有機ＥＬ（ＯＬＥＤ）等の発光素子を用いることができる。なお、本実施形態では、白色光を発する白色ＬＥＤを用いている。
【００２３】
レンズ体３には、例えば、ポリカーボネイトやアクリル（ＰＭＭＡ）等の透明樹脂やガラスなど、空気よりも屈折率の高い材質のものを用いることができる。また、レンズ体３に透明樹脂を用いた場合は、金型を用いた射出成形によってレンズ体３を形成することが可能である。なお、本実施形態では、ＰＭＭＡを用いている。
【００２４】
連結照明ユニット３０は、長尺帯状のフレキシブルプリント配線基板（ＦＰＣ）４と、透明な円筒状のチューブ５とを有している。複数の照明ユニット１は、ＦＰＣ４の面上に長手方向に沿って等間隔に並んだ状態で実装されている。また、ＦＰＣ４の両端には、各照明ユニット１の光源２と電気的に接続された配線（図示せず。）と外部電源とを電気的に接続するための配線コネクタ６が設けられている。チューブ５は、複数の照明ユニット１が実装されたＦＰＣ４を内部に収容することによって、これら複数の照明ユニット１及びＦＰＣ４を保護している。また、チューブ５の湾曲した形状によって、レンズ体３の前方において集光機能を持たせることも可能である。
【００２５】
連結照明ユニット３０は、開閉扉１０４のヒンジ部１０３とは反対側（図１中の左側）の窓枠１０６ａに上下方向に沿ってライン状に取り付けられる。これにより、複数の照明ユニット１は、上記冷蔵ショーケース１００の照明部１０８として、各陳列棚１０２に陳列された商品Ｓの正面に向けて照明光Ｌを照射することになる。
【００２６】
本実施形態の照明ユニット１では、陳列棚１０２に陳列された商品Ｓの正面側に照明光Ｌが効率良く照射されるように、光源２から出射された照明光Ｌの配光をレンズ体３により制御している。
【００２７】
具体的に、このレンズ体３は、図５（ａ）〜（ｃ）及び図６に示すように、光源２から出射された照明光Ｌが入射する入射部７と、入射部７から入射した照明光Ｌを反射させる反射面８と、照明光Ｌを出射する第１出射面９、第２出射面１０及び第３出射面１１とを有している。
【００２８】
入射部７は、光源２と対向する位置に、第１集光入射面７ａと、第２集光入射面７ｂとを有している。第１集光入射面７ａは、その中心部から後方に突出した自由曲面（非球面）状の凸面により構成されている。第２集光入射面７ｂは、第１集光入射面７ａの周囲を囲む位置から後方に突出した部分の略円筒状の内周面により構成されている。
【００２９】
光源２は、照明光Ｌを前方（＋Ｘ軸方向）に向けて放射状に出射する。入射部７では、この光源２から出射された照明光Ｌのうち、第１集光入射面７ａから入射した照明光Ｌを第１出射面９に向けて集光させる。一方、第２集光入射面７ｂから入射した照明光Ｌを反射面８に向けて集光させる。
【００３０】
なお、光源２に用いられる白色ＬＥＤについては、その特性上、素子中央が白く、素子周辺が黄色く発光しており、レンズ体３で集光したときに色分離が発生し易くなっている。そこで、このような光源２から出射された照明光Ｌの色分離を軽減するため、上述した入射部７の表面にシボ加工を施すことが好ましい。
【００３１】
反射面８は、入射部７の周囲を囲む位置から前方に突出した部分の放物線を描くように湾曲して形成された外周面により構成されている。反射面８は、第２集光入射面７ｂから入射した照明光Ｌを反射させることによって、第１集光入射面７ａから入射した照明光Ｌと同一方向となる第１出射面９に向けて集光させる。
【００３２】
第１出射面９は、この第１出射面９に向けて集光された照明光（以下、第１照明光という。）Ｌ１を前方（＋Ｘ軸方向）に向けて出射する。また、第１出射面９には、この第１出射面９から出射される第１照明光Ｌ１の配光を調整する屈折面９ａが設けられている。これにより、第１出射面９から出射された第１照明光Ｌ１は、陳列棚１０２に陳列された商品Ｓの正面側の一端（図１中の左端）から他端（図１中の右端）に向けて照射される。
【００３３】
第２出射面１０は、反射面８のケース本体１０１の背面と対向する側の後方付近に位置するシリンドリカル面からなる。第２出射面１０は、この第２出射面１０に入射した照明光（以下、第２照明光という。）Ｌ２を透過させる。これにより、第２出射面１０から出射された第２照明光Ｌ２は、陳列棚１０２に陳列された商品Ｓの正面側の一端（図１中の左端）から奥行き方向（＋Ｙ軸方向）の手前側に向けて照射される。
【００３４】
第３出射面１１は、第１出射面９のケース本体１０１の背面と対向する側の端部付近に位置するプリズム面からなる。第３出射面１１は、この第３出射面１１に入射した照明光（以下、第３照明光という。）Ｌ３を屈折させる。これにより、第３出射面１１から出射された第３照明光Ｌ３は、陳列棚１０２に陳列された商品Ｓの正面側の一端（図１中の左端）から奥行き方向（＋Ｙ軸方向）の奥側に向けて照射される。なお、第３出射面１１については、場合によって省略することも可能である。
【００３５】
以上のようなレンズ体３により照明光Ｌの配光が調整された照明ユニット１のＸ−Ｙ断面における配光曲線を図７に示す。照明ユニット１から出射される照明光Ｌは、図７に示すように、上述した商品Ｓの正面側の一端から他端（＋Ｘ軸方向）に向けて照射される第１照明光Ｌ１とは別に、商品Ｓの正面側の一端から奥行き方向（＋Ｙ軸方向）に向けて照射される第２照明光Ｌ２及び第３照明光Ｌ３を含むことで、この照明光Ｌの光軸に対して非対称な配光分布を有している。
【００３６】
これにより、本実施形態の冷蔵ショーケース１００では、上述したレンズ体３により照明光Ｌの配光が調整された複数の照明ユニット１（連結照明ユニット３０）によって、各陳列棚１０２に陳列された商品Ｓの正面側に対して照明光Ｌを効率良く照射することが可能である。
【００３７】
すなわち、開閉扉１０４の一端側に配置された照明部１０８（照明ユニット１）から陳列棚１０２に陳列された商品Ｓの正面側に向けて照明光Ｌを照射する場合、上述した照射される第１照明光Ｌ１を照射するだけでは、陳列棚１０２の一端側が相対的に暗くなる。これに対して、上述した第２照明光Ｌ２及び第３照明光Ｌ３を照射することで、暗部を生じさせることなく、陳列棚１０２に陳列された商品Ｓの正面側を明るく照らし出すことが可能である。
【００３８】
また、本実施形態の冷蔵ショーケース１００では、開閉扉１０４の一端側に配置された照明部１０８によって、陳列棚１０２に陳列された商品Ｓの正面側に照明光Ｌを効率良く照射することが可能である。これにより、従来のような開閉扉１０４の左右の両側に照明部１０８を配置するといった必要がなく、商品Ｓの正面側を明るく照らし出すのに必要な光源２の数を従来よりも大幅に減らすことが可能である。その結果、従来よりも消費電力の低減及び低コスト化を図ることが可能である。
【００３９】
なお、本実施形態の冷蔵ショーケース１００では、上述した照明部１０８によって、ケース本体１０１内の正面（手前）側を明るく照らし出す分、背面（奥）側が相対的に暗くなる。一方、陳列棚１０２に陳列された商品Ｓについては、最前列（手前側）に位置する商品Ｓだけを明るく照らし出せばよい。したがって、本実施形態の冷蔵ショーケース１００では、ケース本体１０１内側全体に照明光Ｌを照射するよりも、陳列棚１０２に陳列された商品Ｓに対して効率的な照明光Ｌの照射が可能である。
【００４０】
また、本実施形態の冷蔵ショーケース１００では、開閉扉１０４のヒンジ部１０３とは反対側、すなわち取手１０５側に照明部１０８が配置されている。この場合、開閉扉１０４を開いたときに、照明部１０８が視界に入ることがなく、この照明部１０８を眩しく感じるといったことを防ぐことが可能である。
【００４１】
また、本実施形態の冷蔵ショーケース１００では、ケース本体１０１の内側のうち、照明部１０８が配置される一端側（図１中の左側）に、複数の照明ユニット１が集中して配置されている。この場合、これら照明ユニット１の周辺部分を白色とすることで、この周辺部分で反射された照明光Ｌによって、陳列棚１０２に陳列された商品Ｓを明るく照らし出すことが可能である。
【００４２】
なお、本発明は、上記実施形態のものに必ずしも限定されるものではなく、本発明の趣旨を逸脱しない範囲において種々の変更を加えることが可能である。
例えば、上記実施形態では、本発明を適用したショーケースとして、上記冷蔵ショーケース１００を例示しているが、これに限らず、冷凍ショーケースや保温ショーケース、一般的なショーケースなどにも本発明を幅広く適用することが可能である。
【００４３】
また、本発明を適用した展示用照明装置については、上述したショーケースの照明部に用いる場合に限らず、この展示用照明装置が適用可能な展示物に対して幅広く用いることが可能である。その場合、上記照明ユニット１（連結照明ユニット３０）の配置については、展示物を正面側から見たときに、上下左右の何れかの端部（一端）に沿って配置すればよく、場合によって、２箇所以上の端部に沿って配置することも可能である。
【実施例】
【００４４】
以下、実施例により本発明の効果をより明らかなものとする。なお、本発明は、以下の実施例に限定されるものではなく、その要旨を変更しない範囲で適宜変更して実施することができる。
【００４５】
本実施例では、実際の冷蔵ショーケース１００の照明部１０８に連結照明ユニット３０を用いて、ケース本体１０１内の照明を行った。そして、開閉扉１０４の窓部１０６に照度計を向けた状態で、「左、中央、右」と「上、中、下」との計９箇所について、それぞれの照度［ｌｘ］の測定を行った。その測定結果を表１に示す。
【００４６】
なお、連結照明ユニット３０は、窓枠１０６ａに取り付ける必要があるため、そのサイズの制限があり、チューブ５の外径を概ね１８ｍｍ以下にする必要がある。また、集光レンズ３については、チューブ５の内側（内径１６ｍｍ）に収容可能なサイズとした。白色ＬＥＤの出力は２４Ｗである。また、照明ユニット１は、ＸＹ断面における配光曲線の１／２ビーム角が１２°となるように設計した。なお、入射部７にシボ加工を行った場合でも、ＸＹ断面における配光曲線の１／２ビーム角は３０°以下とすることが好ましい。
【００４７】
【表１】
2018049772.tif 000003
【００４８】
表１に示すように、上述した９箇所について十分な照度を得ることできた。また、９箇所の平均についても、要求品質である３５０ｌｘ以上を確保することができた。なお、シボ加工による色分離の軽減についても有効であることを確認した。
【符号の説明】
【００４９】
１…照明ユニット  ２…光源（ＬＥＤ）  ３…レンズ体  ４…フレキシブルプリント配線基板（ＦＰＣ）  ５…チューブ  ６…配線コネクタ  ７…入射部  ８…反射面  ９…第１出射面  １０…第２出射面  １１…第３出射面  １００…冷蔵ショーケース（ショーケース）  １０１…ケース本体  １０２…陳列棚  １０３…ヒンジ部  １０４…開閉扉  １０５…取手  １０６…窓部  １０７…冷却機構  １０８…照明部  Ｋ…収容空間  Ｌ…照明光  Ｌ１…第１照明光  Ｌ２…第２照明光  Ｌ３…第３照明光  Ｓ…商品（展示物）
【図１】
2018049772.tif 000004
【図２】
2018049772.tif 000005
【図３】
2018049772.tif 000006
【図４】
2018049772.tif 000007
【図５】
2018049772.tif 000008
【図６】
2018049772.tif 000009
【図７】
2018049772.tif 000010